(57)【要約】【課題】移動体の設置部に対して固定することができるとともに故障やメンテナンス等の際に装置本体を設置部から容易に取り外すことができる採血装置を提供する。【解決手段】採血装置１０は、移動体に設置され、負圧を利用して供血者から血液バッグ２０２内への採血を行う採血装置１０であって、血液バッグ２０２を収容する装置本体１２と、移動体の設置部２００に固定されたベース部材１４と、ベース部材１４に装置本体１２を装着した状態で保持するロック状態とベース部材１４に対する装置本体１２のロックを解除したアンロック状態とに切り替え可能な着脱機構１６と、を備える。【選択図】図１
2020199104.tif 000002
【特許請求の範囲】
【請求項１】
移動体に設置され、負圧を利用して供血者から血液バッグ内への採血を行う採血装置であって、
前記血液バッグを収容する装置本体と、
前記移動体の設置部に固定されたベース部材と、
前記ベース部材に前記装置本体を装着した状態で保持するロック状態と前記ベース部材に対する前記装置本体のロックを解除したアンロック状態とに切り替え可能な着脱機構と、を備える、採血装置。
【請求項２】
請求項１記載の採血装置であって、
前記ベース部材は、前記ロック状態で前記装置本体の下方に位置する、採血装置。
【請求項３】
請求項１又は２に記載の採血装置であって、
前記着脱機構は、前記ベース部材に設けられている、採血装置。
【請求項４】
請求項３記載の採血装置であって、
前記着脱機構は、
前記装置本体を前記ベース部材に対して位置決めするための位置決め機構と、
前記装置本体を前記位置決め機構で位置決めした状態でロックするロック機構と、を有する、採血装置。
【請求項５】
請求項４記載の採血装置であって、
前記ロック機構及び前記位置決め機構は、前記装置本体がベース部材に装着された状態で前記装置本体を挟持するように互いに対向して設けられている、採血装置。
【請求項６】
請求項４又は５に記載の採血装置であって、
前記ロック機構は、ラッチ機構である、採血装置。
【請求項７】
請求項１〜６のいずれか１項に記載の採血装置であって、
前記ベース部材は、複数のねじ部材によって前記設置部に固定されている、採血装置。
【発明の詳細な説明】
【技術分野】
【０００１】
本発明は、採血装置に関する。
【背景技術】
【０００２】
例えば、特許文献１には、筐体に形成された収容室内に設けられたトレーに血液バッグを配置した状態で収容室内を負圧にすることにより供血者から血液バッグへの採血を行う採血装置（真空採血装置）が開示されている。
【先行技術文献】
【特許文献】
【０００３】
【特許文献１】特許第５７８５４２３号公報
【発明の概要】
【発明が解決しようとする課題】
【０００４】
ところで、献血用のバス等の自動車（移動体）内で採血を行う場合、採血装置は、走行時の揺れ等によって動かないように移動体の設置部に対してねじ部材等によって固定される。そのため、採血装置の装置本体の故障やメンテナンス等の際に、採血装置を設置部から容易に取り外すことができないという問題があった。
【０００５】
本発明は、このような課題を考慮してなされたものであり、移動体の設置部に対して固定することができるとともに故障やメンテナンス等の際に装置本体を設置部から容易に取り外すことができる採血装置を提供することを目的とする。
【課題を解決するための手段】
【０００６】
本発明の一態様は、移動体に設置され、負圧を利用して供血者から血液バッグ内への採血を行う採血装置であって、前記血液バッグを収容する装置本体と、前記移動体の設置部に固定されたベース部材と、前記ベース部材に前記装置本体を装着した状態で保持するロック状態と前記ベース部材に対する前記装置本体のロックを解除したアンロック状態とに切り替え可能な着脱機構と、を備える、採血装置である。
【発明の効果】
【０００７】
本発明によれば、着脱機構をロック状態にすることにより、ベース部材に対して装置本体が保持されるため、移動体の設置部に対して装置本体を固定することができる。また、装置本体の故障やメンテナンス等の際には、着脱機構をアンロック状態にすることにより、ベース部材に対して装置本体を容易に取り外すことができる。
【図面の簡単な説明】
【０００８】
【図１】本発明の一実施形態に係る採血装置の分解斜視図である。
【図２】図１の採血装置の一部断面説明図である。
【図３】装置本体をベース部材に装着する動作の説明図である。
【図４】装置本体をベース部材から取り外す動作の説明図である。
【発明を実施するための形態】
【０００９】
以下、本発明に係る採血装置について好適な実施形態を挙げ、添付の図面を参照しながら説明する。
【００１０】
本発明の一実施形態に係る採血装置１０は、献血用のバス等の自動車（移動体）内に設けられた作業テーブル２００（設置部）に対して設置される。採血装置１０は、負圧を利用して供血者から血液バッグ２０２内への採血を行う真空採血装置として構成されている。
【００１１】
図１に示すように、採血装置１０は、装置本体１２と、作業テーブル２００に固定されたベース部材１４と、装置本体１２をベース部材１４に着脱するための着脱機構１６とを備える。装置本体１２は、血液バッグ２０２を収容するための収容室１８が形成された箱形の筐体２０と、筐体２０の上部に開閉可能に設けられた蓋体２２とを有する。
【００１２】
収容室１８内には、血液バッグ２０２を載置するためのトレー２４が配置されている。トレー２４は、血液バッグ２０２内に予め収容された抗血液凝固剤と供血者から採取した血液とを混和させるために、揺動可能に設けられている。装置本体１２は、採血時に収容室１８内を負圧にする。
【００１３】
蓋体２２は、閉状態でトレー２４に載置された血液バッグ２０２を上方から覆う。蓋体２２は、採血中の血液バッグ２０２を外部から蓋体２２を介して視認することができるように、透明に構成されるのが好ましい。蓋体２２には、血液バッグ２０２に接続されたチューブ２０４を外部に導出させた状態でクランプ（保持）するチューブホルダ２６が設けられている。チューブ２０４には、図示しない採血針が設けられている。
【００１４】
筐体２０は、前後方向（矢印Ａ方向）に沿った長さ寸法が左右方向（矢印Ｂ方向）に沿った幅寸法よりも長い。ただし、筐体２０は、長さ寸法が幅寸法よりも短くてもよい。筐体２０の正面２８（矢印Ａ１方向を指向する前面）は、操作パネル３０が設けられた上側部位２８ａと、操作パネル３０よりも下方に位置する下側部位２８ｂとを含む。上側部位２８ａは、上方に向かって筐体２０の内側（矢印Ａ２方向）に傾斜している。
【００１５】
下側部位２８ｂは、上側部位２８ａの下端よりも矢印Ａ２方向に位置している。下側部位２８ｂは、装置本体１２の上下方向に沿って延在している。上側部位２８ａ及び下側部位２８ｂは、連結部３２によって互いに連結している。下側部位２８ｂのうち筐体２０の幅方向の中央部には、装着凹部３４が形成されている。筐体２０の背面３６（矢印Ａ２方向を指向する後面）の下部には、２つの位置決め穴３８が形成されている。２つの位置決め穴３８は、筐体２０の幅方向（矢印Ｂ方向）に並んでいる。
【００１６】
ベース部材１４は、四角形状（長方形状）のベース板４０と、ベース板４０から下方に突出した４つの固定部４２とを含む。すなわち、ベース部材１４は、電気部品を有しない。つまり、ベース部材１４は、ベース部材１４と装置本体１２を電気的に接続するための構造が不要である。そのため、ベース部材１４の構成を簡素化することができる。
【００１７】
ベース板４０は、矢印Ａ方向に沿って延びている。固定部４２の突出端面（下面）は、作業テーブル２００の上面に接触する。固定部４２は、ベース板４０に装置本体１２が装着された状態で装置本体１２の底面の下方に位置する（図２参照）。これにより、装置本体１２の重量を４つの固定部４２で効果的に受けることができる。
【００１８】
各固定部４２には、作業テーブル２００とベース部材１４とを互いに締結するためのねじ部材４４が螺合するねじ孔４６が形成されている。ねじ孔４６は、固定部４２及びベース板４０を上下方向に貫通している。すなわち、ベース部材１４には、４つのねじ孔４６が形成されている。図２において、作業テーブル２００には、ねじ部材４４が挿通する４つの挿通孔２０６が形成されている。４つの挿通孔２０６は、４つのねじ孔４６のそれぞれに連通する。
【００１９】
図１に示すように、着脱機構１６は、ベース部材１４に装置本体１２を装着した状態で保持するロック状態（図２参照）とベース部材１４に対する装置本体１２のロックを解除したアンロック状態（図４参照）とに切り替え可能である。
【００２０】
着脱機構１６は、ロック機構５０と位置決め機構５２とを有する。ロック機構５０は、ラッチ機構であって、ベース板４０の上面の長手方向の一端部に固定されている。ロック機構５０は、ベース板４０の幅方向（矢印Ｂ方向）の略中央に位置している。
【００２１】
図３において、ロック機構５０は、ケース部５４と、ケース部５４内に設けられたラッチ部材５６と、ラッチ部材５６を付勢する付勢部材５８と、ロック解除スイッチ６０（図１参照）とを含む。ケース部５４は、ベース板４０の上面に固定されている。ケース部５４のうちベース板４０の長手方向の他端側（矢印Ａ２方向）を指向する面には、開口部６２が形成されている。
【００２２】
ラッチ部材５６は、ケース部５４内を矢印Ａ方向にスライド可能に配置されている。ラッチ部材５６は、矢印Ａ方向に延在したロッド部６４と、ロッド部６４に設けられたラッチ本体６６とを含む。ラッチ本体６６は、ケース部５４の開口部６２から外側（矢印Ａ２方向）に突出する。ラッチ本体６６の上面には、矢印Ａ２方向に向かって下方に傾斜した傾斜面６８が形成されている。ラッチ本体６６の下面には、平坦なストッパ面７０が形成されている。ストッパ面７０は、ベース板４０に沿って延在している。
【００２３】
ラッチ部材５６は、ラッチ本体６６が開口部６２からケース部５４の外側（矢印Ａ２方向）に突出したロック位置（図２参照）と、ラッチ本体６６の全体がケース部５４内に位置する退避位置（図４参照）とに変位可能である。
【００２４】
付勢部材５８は、ラッチ部材５６を矢印Ａ２方向に付勢する。付勢部材５８としては、例えば、コイルばねが用いられる。ただし、付勢部材５８は、板ばね又はゴム部材（弾性部材）等であってもよい。なお、ロック機構５０は、ラッチ部材５６が開口部６２から抜け出ることを防止する図示しない抜け止め機構を有する。
【００２５】
図１に示すように、ロック解除スイッチ６０は、着脱機構１６のロック状態をアンロック状態に切り替えるためのボタンである。すなわち、ロック解除スイッチ６０が操作されると、ラッチ部材５６がロック位置から退避位置に変位する。
【００２６】
位置決め機構５２は、ベース部材１４に対して装置本体１２を位置決めする。位置決め機構５２は、ベース板４０の幅方向（矢印Ｂ方向）の略中央に位置している。着脱機構１６と位置決め機構５２とは、ベース板４０の長手方向（矢印Ａ方向）に互いに対向している。
【００２７】
位置決め機構５２は、ベース板４０の上面の他端部に固定された第１板部７２と、第１板部７２から上方に延出した第２板部７４と、第２板部７４から矢印Ａ１方向に突出した２つの位置決めピン７６とを含む。第２板部７４は、ベース部材１４に装置本体１２を装着した状態（着脱機構１６のロック状態）で装置本体１２の背面３６に接触又は近接する。すなわち。第２板部７４は、装置本体１２の矢印Ａ２方向の移動を制限する。２つの位置決めピン７６は、ベース板４０の短手方向（矢印Ｂ方向）に並んでいる。位置決めピン７６は、装置本体１２の位置決め穴３８に挿入される。
【００２８】
このような採血装置１０において、装置本体１２をベース部材１４に装着する場合、まず、装置本体１２の正面２８側をベース板４０に対して上方に浮かせた状態で装置本体１２の背面３６側の２つの位置決め穴３８に２つの位置決めピン７６を挿入する。これにより、装置本体１２がベース部材１４に対して矢印Ａ方向及び矢印Ｂ方向に位置決めされる。
【００２９】
その後、装置本体１２の正面２８側を降ろす。そうすると、図３に示すように、装置本体１２の底部がラッチ本体６６の傾斜面６８に当たりラッチ部材５６を付勢部材５８の付勢力に抗して矢印Ａ１方向に押圧するため、ラッチ部材５６がロック位置から退避位置に変位する。これにより、装置本体１２の正面２８側は、ラッチ部材５６に引っ掛かることなくベース板４０まで下降する。つまり、装置本体１２の底面の全体がベース板４０の上面に接触する。
【００３０】
そして、装置本体１２の装着凹部３４がラッチ本体６６に対向すると、装置本体１２からラッチ部材５６の押圧力が解除されるため、ラッチ部材５６は、付勢部材５８の付勢力によって退避位置からロック位置に変位する。つまり、ラッチ本体６６が装着凹部３４に挿入される（図２参照）。この際、ラッチ本体６６のストッパ面７０は、装着凹部３４の下面に接触又は近接する。また、ラッチ本体６６の側面は、装着凹部３４の側面に接触又は近接する。これにより、装置本体１２は、ベース部材１４に対して装着した状態で保持される。
【００３１】
ところで、装置本体１２の故障やメンテナンス等の際には、装置本体１２をベース部材１４から取り外す必要がある。この場合、ユーザは、ロック解除スイッチ６０を操作することにより、ラッチ部材５６をロック位置から退避位置に変位させる（着脱機構１６をアンロック状態にする）。そうすると、ラッチ本体６６が装着凹部３４から抜き出る。そして、ユーザは、装置本体１２の正面２８側を上方に持ち上げ、装置本体１２の位置決め穴３８から位置決めピン７６を抜く。これにより、装置本体１２がベース部材１４から取り外される。
【００３２】
この場合、本実施形態に係る採血装置１０は、以下の効果を奏する。
【００３３】
採血装置１０は、血液バッグ２０２を収容する装置本体１２と、移動体の作業テーブル２００に固定されたベース部材１４と、ベース部材１４に装置本体１２を装着した状態で保持するロック状態とロックを解除したアンロック状態とに切り替え可能な着脱機構１６とを備える。
【００３４】
このような構成によれば、着脱機構１６をロック状態にすることにより、移動体の作業テーブル２００に固定されたベース部材１４に対して装置本体１２が保持されるため、移動体の設置部に対して装置本体１２を固定することができる。また、装置本体１２の故障やメンテナンス等の際には、着脱機構１６をアンロック状態にすることにより、ベース部材１４に対して装置本体１２を容易に取り外すことができる。
【００３５】
ベース部材１４は、ロック状態で装置本体１２の下方に位置する。
【００３６】
このような構成によれば、採血装置１０が上下方向に直交する方向（矢印Ａ方向及び矢印Ｂ方向）に大型化することを抑えることができる。そのため、移動体の比較的狭い作業スペースに対して採血装置１０を確実に設置することができる。
【００３７】
着脱機構１６は、ベース部材１４に設けられている。
【００３８】
このような構成によれば、装置本体１２に着脱機構１６を設けた場合と比較して、装置本体１２の構成を簡素化することができる。
【００３９】
着脱機構１６は、装置本体１２をベース部材１４に対して位置決めするための位置決め機構５２と、装置本体１２を位置決め機構５２で位置決めした状態でロックするロック機構５０とを有する。
【００４０】
このような構成によれば、ベース部材１４に対する装置本体１２の装着を容易に行うことができる。
【００４１】
ロック機構５０及び位置決め機構５２は、装置本体１２がベース部材１４に装着された状態で装置本体１２を挟持するように互いに対向して設けられている。
【００４２】
このような構成によれば、ロック機構５０及び位置決め機構５２によって装置本体１２を確実に保持することができる。
【００４３】
ロック機構５０は、ラッチ機構である。
【００４４】
このような構成によれば、ロック機構５０を簡易な構成にすることができる。
【００４５】
ベース部材１４は、複数のねじ部材４４によって作業テーブル２００に固定されている。
【００４６】
このような構成によれば、ベース部材１４を作業テーブル２００に確実に固定することができる。
【００４７】
本発明は上述した実施形態に限定されるものではなく、本発明の要旨を逸脱しない範囲において、種々の改変が可能である。
【００４８】
着脱機構１６は、ベース部材１４ではなく装置本体１２に設けられてもよい。ロック機構５０は、ラッチ機構に限定されず、装置本体１２をベース部材１４に対して保持することができるものであればどのような構成であってもよい。位置決め穴３８及び位置決めピン７６の大きさ、形状、数及び位置は、適宜変更可能である。固定部４２及びねじ部材４４の大きさ、形状、数及び位置は、適宜変更可能である。採血装置１０は、献血用のバスに設置される場合に限定されず、電車、飛行機、船舶等の他の移動体に設置されてもよい。
【００４９】
以上の実施形態をまとめると、以下のようになる。
【００５０】
上記実施形態は、移動体に設置され、負圧を利用して供血者から血液バッグ（２０２）内への採血を行う採血装置（１０）であって、前記血液バッグを収容する装置本体（１２）と、前記移動体の設置部（２００）に固定されたベース部材（１４）と、前記ベース部材に前記装置本体を装着した状態で保持するロック状態と前記ベース部材に対する前記装置本体のロックを解除したアンロック状態とに切り替え可能な着脱機構（１６）と、を備える、採血装置を開示している。
【００５１】
上記の採血装置において、前記ベース部材は、前記ロック状態で前記装置本体の下方に位置してもよい。
【００５２】
上記の採血装置において、前記着脱機構は、前記ベース部材に設けられてもよい。
【００５３】
上記の採血装置において、前記着脱機構は、前記装置本体を前記ベース部材に対して位置決めするための位置決め機構（５２）と、前記装置本体を前記位置決め機構で位置決めした状態でロックするロック機構（５０）と、を有してもよい。
【００５４】
上記の採血装置において、前記ロック機構及び前記位置決め機構は、前記装置本体がベース部材に装着された状態で前記装置本体を挟持するように互いに対向して設けられてもよい。
【００５５】
上記の採血装置において、前記ロック機構は、ラッチ機構であってもよい。
【００５６】
上記の採血装置において、前記ベース部材は、複数のねじ部材（４４）によって前記設置部に固定されてもよい。
【符号の説明】
【００５７】
１０…採血装置                          １２…装置本体
１６…着脱機構                          ４４…ねじ部材
５０…ロック機構                        ５２…位置決め機構
２００…作業テーブル（設置部）          ２０２…血液バッグ
【図１】
2020199104.tif 000003
【図２】
2020199104.tif 000004
【図３】
2020199104.tif 000005
【図４】
2020199104.tif 000006